【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】  ａ）磁化手段（１００）の作動により、磁化可能材料から構成された１つ以上の部分（２１０）の第１グループを磁化する工程と、
ｂ）磁化手段（１００）の作動により、１つ以上の部分（２１０）の１つ以上の連続するグループを磁化させる工程とを備え、
前記磁化手段（１００）が磁界を発生するようになっている磁界発生手段（１４２）を含み、発生された磁界の磁束が磁化されているグループ内の前記または各部分（２１０）を通過し、前記または各部分（２１０）を少なくとも部分的に磁化するようになっている、担体（２００）に取り付けられた磁化可能材料から構成された複数の隣接する部分（２１０）を磁化する方法において、
前記磁化手段（１００）が磁界の磁束が磁化されている前記または各部分（２１０）を通過し、更にほぼ閉ループ内の磁化手段（１００）を通過する好ましい磁束路に従うよう、磁界を制御するようになっており、よって前記または各部分（２１０）および磁化手段（１００）からの制御されない磁束の漏洩を最小とすることを特徴とする、磁化可能材料から構成された複数の隣接する部分（２１０）を磁化する方法。
【請求項２】  内部の磁化可能材料から構成されたそれぞれの部分（２１０）が実質的に磁化されるまで、連続する各グループに対して前記磁化手段（１００）を繰り返し作動させる、請求項１記載の方法。
【請求項３】  前記部分（２１０）の一部またはすべてが磁化可能材料製の同じ部材（２１０）の部分（２１０）である、前の請求項のいずれかに記載の方法。
【請求項４】  少なくとも１つのグループが前のグループに含まれた少なくとも１つの部分（２１０）を含む、前の請求項のいずれかに記載の方法。
【請求項５】  少なくとも１つのグループが次のグループにその後含まれる少なくとも１つの部分（２１０）を含む、前の請求項のいずれかに記載の方法。
【請求項６】  前記部分（２１０）が電気機器の１つの部品（２００）上に円形アレイとして位置決めされており、各部分（２１０）が磁化可能材料から構成された異なるそれぞれの部材（２１０）の一つの部分（２１０）であり、各部材（２１０）がこれら部材（２１０）の他の２つの部材と並置されている、前の請求項のいずれかに記載の方法。
【請求項７】  各グループが並置された少なくとも２つの部材（２１０）を備え、最初に磁化されたグループを除く各グループがそれぞれの前のグループ内にあった少なくとも１つの部材（２１０）を含み、最後に磁化されたグループを除く各グループがその後のそれぞれのグループ内にその後含まれる少なくとも１つの部材（２１０）を含み、前記最初に磁化されたグループおよび最後に磁化されたグループが共通の少なくとも１つの部材（２１０）を有する、請求項６記載の方法。
【請求項８】  各グループが磁化可能材料から構成された少なくとも１つの部分（２１０）を備え、前記磁化手段（１００）が１つのグループから別のグループへと前記部分（２１０）を順次磁化させるようになっており、前記磁化手段（１００）が磁化されているグループ内の前記または各部分（２１０）を磁束が貫通する磁界を発生し、よって前記または各部分（２１０）を少なくとも部分的に磁化するようになっている磁界発生手段（１４２）を含む、連続するグループを磁化するための磁化手段（１００）において、
前記磁化手段（１００）が、磁界の磁束が磁化されている前記または各部分（２１０）を通過し、更に実質的に閉ループ内の前記磁化手段（１００）を通過する好ましい磁束路に従うよう磁界を制御するようになっている制御手段（１４２）を含み、よって前記または各部分（２１０）および磁化手段（１００）からの制御されない磁束の漏洩を最小にすることを特徴とする磁化手段（１００）。
【請求項９】  前記制御手段（１４２）が１つ以上の電流搬送コイル（１４２）の配置により磁束路を制御するようになっている、請求項８記載の磁化手段（１００）。
【請求項１０】  前記制御手段が１つ以上の永久磁石の配置により磁束路を制御するようになっている、請求項８記載の磁化手段。
【請求項１１】  前記磁界発生手段（１４２）が制御手段（１４２）としても働く、請求項８〜１０のいずれかに記載の磁化手段（１００）。
【請求項１２】  前記磁界発生手段（３１０）が制御手段としても働く螺旋コイル（３１０）を備え、前記螺旋コイル（３１０）の両端が互いに対向するように配置されており、よって前記コイル（３１０）がスプリットリングの外観をした形状を構成し、前記螺旋コイル（３１０）が、そのコイルの両端の間に磁化可能材料から構成された少なくとも１つの部分（３５０）を受け、両端の間に接続された電位を有するようになっており、よって磁束が螺旋コイル（３１０）の両端のＮ極から前記部分までの第１の空気ギャップ（３２０）を横断し、前記部分（３５０）を貫通し、第２の空気ギャップ（３２０）を横断してＳ極である前記コイル（３１０）の他端まで延び、更にこのＳ極の端部から前記螺旋コイル（３１０）の内側を貫通し、螺旋コイルのＮ極の端部まで延び、よって好ましい磁束路に沿った閉ループを形成し、前記部分（３５０）を少なくとも部分的に磁化するようになっている、請求項１１記載の磁化手段（３００）。
【請求項１３】  前記磁界発生および制御手段（１４２）が一連のコイル（１４２）を形成するように側面と側面が並置されたコイル（１４２）の少なくとも１つのペアを備え、各コイル（１４２）が前記部分（２１０）のそれぞれ１つの表面に隣接するように設置され、前記磁化手段（１００）が各コイル（１４２）に電流を供給し、よってそれぞれの隣接する部分（３５０）の表面を貫通するそれぞれの磁界を各コイルのまわりに発生させ、よって前記部分（３５０）を少なくとも部分的に磁化するようになっており、各コイル（１４２）内のそれぞれの電流の方向が前記または各並置されたコイル（１４２）内の電流の方向と逆であり、よって磁束が前記または各並置されたコイルのペアを逆方向に貫通し、前記コイルのペアおよび隣接する部分（２１０）のそれぞれのペアを貫通するほぼ閉じた磁束路を形成する、請求項８〜１０に記載の磁化手段（１００）。
【請求項１４】  前記磁界発生および制御手段（１４２）が磁化ヘッド上に円形アレイに配置された複数の前記コイル（１４２）を含み、前記磁化ヘッドが電気機器のロータープレート（２００）に面と面が並置された状態で設置されており、前記ロータープレートには磁化可能材料から構成された別個の部材（２１０）の円形アレイ状をした複数の前記部分（２１０）が取り付けられており、よって各コイル（１４２）がそれぞれの部材（２１０）に隣接し、前記磁化手段（１００）が前記コイル（１４２）の並置された所定のペアに順次電流を供給し、よって前記部材（２１０）のそれぞれの隣接するペアを少なくとも部分的に磁化するようになっている、請求項１３記載の磁化手段（１００）。
【請求項１５】  前記コイル（１４２）の一部が主コイル（１４２）であり、他のコイルが集束コイル（１４２）であり、前記主コイル（１４２）がシリーズ内の最も内側に位置し、前記集束コイル（１４２）がシリーズ内の最も外側に位置し、前記主コイル（１４２）の各々に関連する磁界は各主コイル（１４２）を貫通する磁束がそれぞれの並置された主コイル（１４２）を貫通し、それぞれの２つの主コイル（１４２）に隣接する２つの部分（２１０）の各々を貫通する磁束の閉ループを形成する傾向を生じるようになっており、前記集束コイル（１４２）の各々に関連する磁界はそれぞれの並置された主コイル（１４２）を貫通する並置ループを形成しない、隣接する主コイル（１４２）に関連する磁界の磁束の一部がそれぞれの集束コイル（１４２）を貫通する磁束と共に閉ループを形成し、よって隣接する主コイル（１４２）からの制御されない磁束の漏洩量を低減するようになっている、請求項１３または１４記載の磁化手段（１００）。
【請求項１６】  各主コイル（１０ａ、１０ｂ）に関連する磁界が各集束コイル（２０ａ、２０ｂ）に関連する磁界よりも強力であり、よって各主コイル（１０ａ、１０ｂ）に起因する磁界の磁束が前記または各並置された主コイル（１０ａ、１０ｂ）を貫通する閉ループを形成する性質を最大にする、請求項１５記載の磁化手段。
【請求項１７】  前記磁化手段（１００）は、放電することで前記コイル（１４２）に電流を供給するようになっている電荷蓄積手段（１１０）を含む、請求項１３〜１６のいずれかに記載の磁化手段（１００）。
【手続補正２】
【補正対象書類名】明細書
【補正対象項目名】００１１
【補正方法】変更
【補正の内容】
【００１１】
担体は電気機器の一部品とすることができ、これら部分は磁化可能材料から構成された部材と同じでよく、担体はその部材となる。
【手続補正３】
【補正対象書類名】明細書
【補正対象項目名】００１７
【補正方法】変更
【補正の内容】
【００１７】
これら部分は例えば直線状のアレイ、長方形のアレイまたは円形のアレイに配置できる。各部分は１つ以上のそれぞれの部分と並置することが好ましい。これら部分は電気機器の一部分に設けることができ、この部品は担体となる。各部分は磁化可能材料から構成されたそれぞれの異なる部分の一部でもよい。部材は電気機器のローターに円形アレイに位置決めできる。これら部材はプレートとすることができる。磁化可能材料は、希土類材料、例えばネオジム−鉄−ホウ素とすることができる。